(57)【特許請求の範囲】
【請求項１】
同時に複数の周波数帯域を用いて基地局と通信接続が可能な端末装置であって、
通信に使用する周波数帯域において通信に割り当てられた通信リソースの大きさを示す情報を基地局から取得する取得部と、
自端末装置で通信に必要な通信リソースの大きさを算出する算出部と、
前記取得部が取得した情報と前記算出部が算出した通信リソースの大きさとに基づいて、いくつの周波数帯域を同時に用いて通信接続を行うかを制御する通信制御部と、
を備え、
前記通信制御部は、
通信接続している全ての周波数帯域で割り当てられた通信リソースの合計が、前記算出部が算出した通信リソースより大きいと判定した場合、より多くの周波数帯域を同時に用いた通信接続の要求が基地局からきても拒否する端末装置。
【請求項２】
前記通信制御部は、
前記算出部が算出した通信リソースに対して、通信接続している全ての周波数帯域で割り当てられた通信リソースの合計では足りなくなったと判定した場合、より多くの周波数帯域を同時に用いた通信接続を行う要求を基地局に対して出力する、
請求項１に記載の端末装置。
【請求項３】
前記通信制御部は、
前記同時に複数の周波数帯域を用いた通信接続中に、前記算出部が算出した通信リソースを通信接続中の一部の周波数帯域のみで割り当てられると判定した場合、当該一部の周波数帯域以外の周波数帯域を用いた通信接続を解除する要求を基地局に対して出力する、
請求項１または請求項２に記載の端末装置。
【請求項４】
前記通信制御部は、
前記同時に複数の周波数帯域を用いた通信接続中に、割り当てられた通信リソースの大きさが所定値未満の通信接続中の周波数帯域がある場合、当該周波数帯域を用いた通信接続を解除する要求を基地局に対して出力する、
請求項１から請求項３のいずれか一項に記載の端末装置。
【請求項５】
同時に複数の周波数帯域を用いて基地局と通信接続が可能な端末装置における通信制御方法であって、
取得部が、通信に使用する周波数帯域において通信に割り当てられた通信リソースの大きさを示す情報を基地局から取得する取得過程と、
算出部が、自端末装置で通信に必要な通信リソースの大きさを算出する算出過程と、
通信制御部が、前記取得部が取得した情報と前記算出部が算出した通信リソースの大きさとに基づいて、いくつの周波数帯域を同時に用いて通信接続を行うかを制御する通信制御過程と、
通信接続している全ての周波数帯域で割り当てられた通信リソースの合計が、前記算出過程で算出した通信リソースより大きいと判定した場合、より多くの周波数帯域を同時に用いた通信接続の要求が基地局からきても拒否する拒否過程と、
を含む通信制御方法。
【請求項６】
同時に複数の周波数帯域を用いて基地局と通信接続が可能な端末装置としてのコンピュータに、
通信に使用する周波数帯域において通信に割り当てられた通信リソースの大きさを示す情報を基地局から取得する取得手順と、
自端末装置で通信に必要な通信リソースの大きさを算出する算出手順と、
前記取得手順で取得した情報と前記算出手順で算出した通信リソースの大きさとに基づいて、いくつの周波数帯域を同時に用いて通信接続を行うかを制御する通信制御手順と、
通信接続している全ての周波数帯域で割り当てられた通信リソースの合計が、前記算出手順で算出した通信リソースより大きいと判定した場合、より多くの周波数帯域を同時に用いた通信接続の要求が基地局からきても拒否する拒否手順と、
を実行させるためのプログラム。
【発明の詳細な説明】
【技術分野】
【０００１】
本発明は、端末装置、通信制御方法、及びプログラムに関する。
【背景技術】
【０００２】
無線通信システムの通信規格であるＬＴＥ（Ｌｏｎｇ  Ｔｅｒｍ  Ｅｖｏｌｕｔｉｏｎ）をさらに高度化した通信技術の通信規格としてＬＴＥ−Ａ（Ａｄｖａｎｃｅｄ）があり、その技術の１つにＣＡ（Ｃａｒｒｉｅｒ  Ａｇｇｒｅｇａｔｉｏｎ）機能がある。ＣＡとは、「システム全体の通信リソースの利用効率の向上(基地局側の要求)」や「通信速度の向上(端末装置側の要求、ユーザの要求)」のために、端末装置と基地局との間で通信をする際に、複数の周波数帯域を同時に使用して通信を行う技術である。ＣＡに対応した端末装置が、ＣＡ対応エリアの基地局と通信をする際には、通信を開始した時点で、基地局から端末装置にＣＡの開始を要求する。
【先行技術文献】
【非特許文献】
【０００３】
【非特許文献１】３ＧＰＰ  ＴＳ  ３６．３０６，Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ Ｎｅｔｗｏｒｋ；  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  （Ｅ-ＵＴＲＡ）;  Ｕｓｅｒ  Ｅｑｕｉｐｍｅｎｔ  （ＵＥ）  ｒａｄｉｏ  ａｃｃｅｓｓ  ｃａｐａｂｉｌｉｔｉｅｓ，３ｒｄ  Ｇｅｎｅｒａｔｉｏｎ  Ｐａｒｔｎｅｒｓｈｉｐ  Ｐｒｏｊｅｃｔ，２０１１年６月２４日，Ｖ１０．２．０
【発明の概要】
【発明が解決しようとする課題】
【０００４】
しかしながら、基地局からのＣＡ開始要求によってＣＡが開始されるため、基地局からＣＡ開始要求があると端末装置側は強制的にＣＡ接続となってしまう。そのため、例えば、１つの周波数帯域を用いた通信接続で十分な通信リソースが割り当てられている場合など、端末装置側にＣＡを使用するメリットがない場合でも、基地局からＣＡ開始要求が来ると、端末装置は強制的にＣＡを行わなければならなかった。その結果、端末装置は、必要がないにもかかわらず複数の無線通信機能を同時に動作させられることとなり、ＣＡを行わない場合よりも消費電力が大きくなることがあった。
【０００５】
本発明は上記の点に鑑みてなされたものであり、無駄に複数の周波数帯域を同時に使用して通信を行うことを抑制し、消費電力を抑えることができる端末装置、通信制御方法、及びプログラムを提供することを課題とする。
【課題を解決するための手段】
【０００６】
本発明は上記の課題を解決するためになされたものであり、本発明の一態様は、同時に複数の周波数帯域を用いて基地局と通信接続が可能な端末装置であって、通信に使用する周波数帯域において通信に割り当てられた通信リソースの大きさを示す情報を基地局から取得する取得部と、自端末装置で通信に必要な通信リソースの大きさを算出する算出部と、前記取得部が取得した情報と前記算出部が算出した通信リソースの大きさとに基づいて、いくつの周波数帯域を同時に用いて通信接続を行うかを制御する通信制御部と、を備える端末装置である。
【０００７】
また、本発明の一態様は、同時に複数の周波数帯域を用いて基地局と通信接続が可能な端末装置における通信制御方法であって、取得部が、通信に使用する周波数帯域において通信に割り当てられた通信リソースの大きさを示す情報を基地局から取得する取得過程と、算出部が、自端末装置で通信に必要な通信リソースの大きさを算出する算出過程と、通信制御部が、前記取得部が取得した情報と前記算出部が算出した通信リソースの大きさとに基づいて、いくつの周波数帯域を同時に用いて通信接続を行うかを制御する通信制御過程と、を含む通信制御方法である。
【０００８】
また、本発明の一態様は、同時に複数の周波数帯域を用いて基地局と通信接続が可能な端末装置としてのコンピュータに、通信に使用する周波数帯域において通信に割り当てられた通信リソースの大きさを示す情報を基地局から取得する取得手順と、自端末装置で通信に必要な通信リソースの大きさを算出する算出手順と、前記取得手順で取得した情報と前記算出手順で算出した通信リソースの大きさとに基づいて、いくつの周波数帯域を同時に用いて通信接続を行うかを制御する通信制御手順と、を実行させるためのプログラムである。
【発明の効果】
【０００９】
本発明によれば、無駄に複数の周波数帯域を同時に使用して通信を行うことを抑制し、消費電力を抑えることができる。
【図面の簡単な説明】
【００１０】
【図１】実施形態による移動体通信システムの構成を示す概略ブロック図。
【図２】実施形態による基地局の概略構成を示すブロック図。
【図３】実施形態による端末装置の概略構成を示すブロック図。
【図４】ＣＡ接続の要求が拒否される場合のＲＢの状態を説明する説明図。
【図５】ＣＡ接続の要求が許可される場合のＲＢの状態を説明する説明図。
【図６】端末装置で必要なＲＢの増加を示す図。
【図７】ＣＡ接続が必要でないため解除する場合のＲＢの状態の説明図。
【図８】ＣＡ接続をしても効果が無いため解除する場合のＲＢの状態の説明図。
【図９】実施形態に係る通信制御処理の一例を示すフローチャート。
【発明を実施するための形態】
【００１１】
以下、図面を参照して、本発明の一実施形態について説明する。図１は、本実施形態による移動体通信システム１の構成を示す概略ブロック図である。本実施形態による移動体通信システム１は、複数の基地局１０と、端末装置２０（移動局装置、ＵＥ（Ｕｓｅｒ  Ｅｑｕｉｐｍｅｎｔ））とを含んで構成される。この図１では、端末装置２０と通信可能な複数の基地局１０の例として、基地局１０−１と、基地局１０−２とを示しているが、図示する基地局１０以外にも複数の基地局１０が存在する。端末装置２０は、例えば多機能型携帯電話機（スマートフォンを含む）、タブレット端末装置等である。
【００１２】
本実施形態の移動体通信システム１では、基地局１０と端末装置２０との間の通信方式として、例えばＬＴＥ−Ａ方式を採用する。ＬＴＥ−Ａ方式では、セルをコンポーネントキャリアとみなし、端末装置２０が、一つのセルと接続して通信を行うことができるとともに、複数のセルと同時にＣＡ接続して通信を行うことができる。ここで、セルとは基地局１０のことを指している。
【００１３】
なお、端末装置２０がＣＡ接続する際のセルは、基本となる一つのプライマリーセル（Ｐｒｉｍａｒｙ  Ｃｅｌｌ;ＰＣｅｌｌ）と、追加される一つまたは複数のセカンダリーセル（Ｓｅｃｏｎｄａｒｙ  Ｃｅｌｌ;ＳＣｅｌｌ）とからなる。ここでは、端末装置２０がＣＡ接続する際に、基地局１０−１をＰＣｅｌｌとし、基地局１０−２をＳＣｅｌｌとして、同時にＰＣｅｌｌとＳＣｅｌｌとを用いて無線通信を行うものとして説明する。
【００１４】
ＰＣｅｌｌの周波数帯域ｆ１と、ＳＣｅｌｌの周波数帯域ｆ２とは、同じバンド（Ｂａｎｄ、周波数帯域）（２ＧＨｚ帯など）に属していてもよいし、異なるバンドに属していてもよい。なお、同じバンドに属している複数のセルを集めてＣＡを行うことを、イントラバンド  キャリアアグリゲーション（ｉｎｔｒａ-ｂａｎｄ  ｃａｒｒｉｅｒ  ａｇｇｒｅｇａｔｉｏｎ）とも呼ばれ、異なるバンドに属している複数のセルを集めてＣＡを行うことを、インターバンド  キャリアアグリゲーション（ｉｎｔｅｒ-ｂａｎｄ  ｃａｒｒｉｅｒ  ａｇｇｒｅｇａｔｉｏｎ）とも呼ばれる。
【００１５】
なお、ＰＣｅｌｌ及びＳＣｅｌｌ共に、基地局１０から端末装置２０への送信であるダウンリンクと、端末装置２０から基地局１０への送信であるアップリンクとの両方が実行されてもよいし、いずれかが実行されてもよい。また、本実施形態における移動体通信システム１は、例えばＦＤＤ（Ｆｒｅｑｕｅｎｃｙ  Ｄｉｖｉｓｉｏｎ  Ｄｕｐｌｅｘ；周波数分割複信）方式であるが、ＴＤＤ（Ｔｉｍｅ  Ｄｉｖｉｓｉｏｎ  Ｄｕｐｌｅｘ；時分割複信）方式であってもよい。
【００１６】
（基地局の構成例）
図２は、本実施形態による基地局１０の概略構成を示すブロック図である。基地局１０は、通信部１１０と、制御部１２０とを含んで構成されている。通信部１１０は、送信部１１１と、受信部１１２とを備え、端末装置２０と所定の周波数帯域を用いて無線通信を行う。例えば、基地局１０−１の通信部１１０と、基地局１０−２の通信部１１０とのそれぞれは互いに異なるそれぞれの周波数帯域で、端末装置２０と通信可能である。ここでは、基地局１０−１の通信は周波数帯域ｆ１を用いた通信であり、基地局１０−２の通信は周波数帯域ｆ２を用いた通信である。なお、基地局１０−１の通信部１１０と、基地局１０−２の通信部１１０とのそれぞれは、同じ周波数帯域で端末装置２０と通信してもよい。
【００１７】
制御部１２０は、通信部１１０を介して端末装置２０と通信開始した際に、接続環境（電波環境、基地局１０に接続されているユーザ数（端末装置数）、データトラフィックなど）に応じて、端末装置２０に対して、ＲＢ（リソースブロック、通信リソース）を割り当てる。ＲＢは常に最大で割り当てられるわけではなく、接続環境に応じて、逐次増減する。そして、制御部１２０は、端末装置２０に割り当てたＲＢの値を、通信部１１０を介して端末装置２０に送信する。
【００１８】
例えば、基地局１０から端末装置２０への下りリンクでは、物理下りリンク制御チャネル（Ｐｈｙｓｉｃａｌ  Ｄｏｗｎｌｉｎｋ  Ｃｏｎｔｒｏｌ  Ｃｈａｎｎｅｌ：  ＰＤＣＣＨ）を用いて送信される。このＰＤＣＣＨは、下りリンクアサインメント（ｄｏｗｎｌｉｎｋ  ａｓｓｉｇｎｍｅｎｔ、またはｄｏｗｎｌｉｎｋ  ｇｒａｎｔとも称する。）や上りリンクグラント（ｕｐｌｉｎｋ  ｇｒａｎｔ）などの下りリンク制御情報（Ｄｏｗｎｌｉｎｋ  Ｃｏｎｔｒｏｌ  Ｉｎｆｏｒｍａｔｉｏｎ：  ＤＣＩ）を送信するために用いられる。例えば、端末装置２０に割り当てられるＲＢを示す情報は、この下りリンクアサインメントに含まれ、ＰＤＣＣＨを用いた送信により端末装置２０に通知される。
【００１９】
（端末装置の構成例）
図３は、本実施形態による端末装置２０の概略構成を示すブロック図である。端末装置２０は、表示部２０１と、操作受付部２０２と、端末通信部２１０と、端末制御部２２０とを含んで構成されている。
【００２０】
表示部２０１は、例えば液晶ディスプレイや有機ＥＬ（Ｅｌｅｃｔｒｏ  Ｌｕｍｉｎｅｓｃｅｎｃｅ）ディスプレイを含んで構成され、端末装置２０のメニュー画面や基地局１０から受信した表示情報などを表示する。
操作受付部２０２は、ユーザによる操作入力を受け付け、受け付けた操作入力を示す操作入力信号を端末制御部２２０に出力する。操作受付部２０２は、操作デバイスとして、各種のボタンやキーなどの他、例えば表示部２０１と一体化されたタッチパネルなどを含んでもよい。
【００２１】
端末通信部２１０は、基地局１０と無線で、例えば、ＬＴＥ−Ａ方式を用いて通信を実行する。端末通信部２１０は、例えばＮ個（Ｎは正の整数）の第１送信部２１１−１〜第Ｎ送信部２１１−Ｎと、Ｎ個の第１受信部２１２−１〜第Ｎ受信部２１２−Ｎとを備えている。なお、以降の説明において、第１送信部２１１−１〜第Ｎ送信部２１１−Ｎについて特に区別しない場合には、送信部２１１と記載する。また、第１受信部２１２−１〜第Ｎ受信部２１２−Ｎについて特に区別しない場合には受信部２１２と記載する。
【００２２】
第１送信部２１１−１〜第Ｎ送信部２１１−Ｎは、それぞれ異なる周波数帯域を使用して送信を実行する。第１受信部２１２−１〜第Ｎ受信部２１２−Ｎは、それぞれ異なる周波数帯域の受信を実行する。ＣＡ接続して通信を行う際には、ＰＣｅｌｌの周波数帯域ｆ１と、ＳＣｅｌｌの周波数帯域ｆ２とのそれぞれに対応する複数の送信部２１１及び受信部２１２が使用される。
【００２３】
なお、第１送信部２１１−１〜第Ｎ送信部２１１−Ｎと第１受信部２１２−１〜第Ｎ受信部２１２−Ｎとにおいて共通化できる部位については共通化してよい。また、送信部２１１または受信部２１２が対応する周波数帯域において複数のセルを用いて送受信を行う場合には、送信部２１１または受信部２１２をセルごとに設けてもよい。
【００２４】
端末制御部２２０は、取得部２２１と、２２２  算出部と、通信制御部２２３とを備えている。
取得部２２１は、通信接続したセルの周波数帯域において通信に割り当てられたＲＢの大きさを示す情報を基地局１０から取得する。例えば、取得部２２１は、基地局１０と通信開始した際に基地局１０において端末装置２０に割り当てられたＲＢの値を、端末通信部２１０を介して取得する。算出部２２２は、端末装置２０で通信に必要なＲＢの値を算出する。ここで、端末装置２０で通信に必要なＲＢの値は、端末装置２０が送信または受信するデータ量に応じて刻々と変化し瞬間的に増減することがあるため、一定期間の平均値とする。例えば、算出部２２２は、端末装置２０で通信に必要なＲＢの値を所定の間隔で随時算出し一定期間の平均値として算出する。
【００２５】
通信制御部２２３は、取得部２２１が取得したＲＢの値と、算出部２２２が算出したＲＢ（端末装置２０で通信に必要なＲＢ）の値とに基づいて、いくつの周波数帯域を同時に用いて通信接続を行うかを制御する。一つの周波数帯域で通信接続している場合には、通信制御部２２３は、取得部２２１が取得したＲＢの値と、算出部２２２が算出したＲＢの値とに基づいて、ＣＡ接続を行うか否かを制御する。例えば、通信制御部２２３は、通信接続した一つのセルの周波数帯域において割り当てられたＲＢが、端末装置２０で通信に必要なＲＢより大きいと判定した場合、ＣＡ接続の要求が基地局１０からきても拒否する。一方、通信制御部２２３は、通信接続した一つのセルの周波数帯域において割り当てられたＲＢが、端末装置２０で通信に必要なＲＢ以下であると判定した場合、基地局１０からきたＣＡ接続の要求を許可する。
【００２６】
なお、ＣＡ接続中の場合には、通信制御部２２３は、通信接続している全ての周波数帯域で割り当てられたＲＢの合計が、端末装置２０で通信に必要なＲＢより大きいと判定した場合、より多くの周波数帯域を用いたＣＡ接続の要求が基地局１０からきても拒否する。一方、通信制御部２２３は、通信接続している全ての周波数帯域で割り当てられたＲＢの合計が、端末装置２０で通信に必要なＲＢ以下であると判定した場合、基地局１０からきたＣＡ接続の要求を許可する。
【００２７】
図４は、ＣＡ接続の要求が拒否される場合のＲＢの状態を説明する説明図である。「Ｘ１」は、ＰＣｅｌｌ（基地局１０−１）の周波数帯域ｆ１に割り当てられたＲＢ数を示している。ここで、割り当てられるＲＢ数は、接続環境等によって刻々と変化し瞬間的に増減することがあるため、一定期間の平均値とする。また、「Ａ」は、端末装置２０で通信に必要なＲＢ数を示している。図示する例では、ＰＣｅｌｌの周波数帯域ｆ１に割り当てられたＲＢ数（Ｘ１）が、通信に必要なＲＢ数（Ａ）より大きいため（Ｘ１＞Ａ）、ＣＡを行う必要がない。そのため、端末装置２０は、ＰＣｅｌｌ（基地局１０−１）からのＣＡ接続の要求を拒否し、ＰＣｅｌｌの周波数帯域ｆ１のみで通信を行う。即ち、端末装置２０は、ＳＣｅｌｌ（基地局１０−２）とのＣＡ接続を行わない。
【００２８】
図５は、ＣＡ接続の要求が許可される場合のＲＢの状態を説明する説明図である。図示する例では、ＰＣｅｌｌの周波数帯域ｆ１に割り当てられたＲＢ数（Ｘ１）が、通信に必要なＲＢ数（Ａ）より小さいため（Ｘ１＜Ａ）、ＲＢが足りていない。そのため、端末装置２０は、ＰＣｅｌｌ（基地局１０−１）からのＣＡ接続の要求を許可し、ＰＣｅｌｌの周波数帯域ｆ１に加えて、ＳＣｅｌｌ（基地局１０−２）の周波数帯域ｆ２を用いてＣＡ接続を行う。「Ｘ２」は、ＳＣｅｌｌの周波数帯域ｆ２に割り当てられたＲＢ数（一定期間の平均値）を示している。ここでは、ＣＡ接続を行うことより、ＰＣｅｌｌの周波数帯域ｆ１に割り当てられたＲＢ数（Ｘ１）とＳＣｅｌｌの周波数帯域ｆ２に割り当てられたＲＢ数（Ｘ２）との合計のＲＢ数が、通信に必要なＲＢ数（Ａ）より大きくなる。
【００２９】
なお、通信制御部２２３は、一つのセルの周波数帯域を用いた通信接続中に、この周波数帯域において割り当てられたＲＢが、端末装置２０で通信に必要なＲＢ以下になったと判定した場合、ＣＡ接続の要求を基地局１０に対して出力してもよい。例えば、通信制御部２２３は、端末通信部２１０を介して、ＣＡ接続の要求を基地局１０に送信してもよい。
【００３０】
図６は、端末装置２０で必要なＲＢの増加を示す図である。図示する例では、端末装置２０で必要なＲＢ数（Ａ）が（Ａ’）に増加したことを示している。例えば、通信制御部２２３は、端末装置２０で必要なＲＢ数（Ａ）が（Ａ’）に増加したことにより、ＰＣｅｌｌの周波数帯域ｆ１に割り当てられたＲＢ数（Ｘ１）では足りなくなった場合（Ｘ１＜Ａ’）、端末通信部２１０を介して、ＣＡ接続の要求を基地局１０（例えば、基地局１０−１、１０−２）に送信する。このように、通信制御部２２３は、一つのセルの周波数帯域を用いた通信接続中に、端末装置２０で必要なＲＢが増加したことにより、割り当てられたＲＢの値では足りなくなったと判定した場合、ＣＡ接続の要求を基地局１０に対して出力する。
【００３１】
また、通信制御部２２３は、ＣＡ接続中に、接続中の一部のセルの周波数帯域のみで必要なＲＢが割り当てられると判定した場合、ＣＡ接続をしなくとも十分にＲＢを確保できるため、当該一部の周波数帯域以外の周波数帯域を用いたセルとの通信接続を解除する要求を基地局１０に対して出力する。例えば、通信制御部２２３は、端末通信部２１０を介して、ＣＡ接続を解除する要求を基地局１０に送信する。
【００３２】
図７は、ＣＡ接続が必要でないため解除する場合のＲＢの状態を説明する説明図である。図示する例は、ＰＣｅｌｌの周波数帯域ｆ１のＲＢ数（Ｘ１）とＳＣｅｌｌの周波数帯域ｆ２のＲＢ数（Ｘ２）とを用いたＣＡ接続中に、接続環境や端末装置２０の状態が変わり、周波数帯域ｆ１に割り当てられたＲＢ数（Ｘ１）のみで、端末装置２０で通信に必要なＲＢ数（Ａ）が足りる状態になった場合（Ｘ１＞Ａ）を示している。この場合、端末装置２０は、ＰＣｅｌｌの周波数帯域ｆ１で割り当てられたＲＢ数（Ｘ１）のみで十分なＲＢを確保できており、ＳＣｅｌｌの周波数帯域ｆ２で割り当てられたＲＢ数（Ｘ２）の必要がない。そのため、端末装置２０は、ＳＣｅｌｌの周波数帯域ｆ２によるＣＡ接続を解除する。
【００３３】
なお、通信制御部２２３は、ＣＡ接続中に、ＣＡ接続中の周波数帯域のうち、割り当てられたＲＢの大きさが所定値未満の周波数帯域がある場合、当該周波数帯域を用いたセルとの通信接続を解除する要求を基地局１０に対して出力してもよい。ここで、所定値とは、例えば、通信に必要なＲＢ数（Ａ）に対して極端に小さく、ほとんど無視できるようなＲＢ数（以下、「最小ＲＢ数（Ｂ）」ともいう）である。例えば、通信制御部２２３は、ＣＡ接続している周波数帯域のうち、最小ＲＢ数（Ｂ）より小さいＲＢ数の周波数帯域がある場合、ＣＡ接続をしていても効果が無いため、端末通信部２１０を介して、ＣＡ接続を解除する要求を基地局１０に送信する。
【００３４】
図８は、ＣＡ接続をしても効果が無いため解除する場合のＲＢの状態を説明する説明図である。図示する例は、ＰＣｅｌｌの周波数帯域ｆ１のＲＢ数（Ｘ１）とＳＣｅｌｌの周波数帯域ｆ２のＲＢ数（Ｘ２）とを用いたＣＡ接続中に、周波数帯域ｆ２のＲＢ数（Ｘ２）が最小ＲＢ数（Ｂ）より小さい場合を示している（Ｘ２＜Ｂ）。この場合、端末装置２０は、ＳＣｅｌｌの周波数帯域ｆ２で割り当てられたＲＢ数（Ｘ２）が、接続しているだけ無駄になるくらい小さいため、ＳＣｅｌｌの周波数帯域ｆ２によるＣＡ接続を解除する。
【００３５】
なお、通信制御部２２３は、ＣＡ接続中に、割り当てられたＲＢでは足りなくなったと判定した場合、さらに他の周波数帯域を用いたＣＡ接続を同時に行う要求を基地局１０に対して出力する。即ち、通信制御部２２３は、ＣＡ接続中に、端末装置２０で通信に必要なＲＢが確保できない場合には、３以上の周波数帯域を用いてＣＡ接続を行ってもよい。
【００３６】
＜通信制御処理の動作＞
次に、図９を参照して、本実施形態に係る通信制御処理の動作を説明する。
図９は、本実施形態に係る通信制御処理の一例を示すフローチャートである。この図では、端末装置２０が基地局１０からデータを受信（ダウンロード）する場合に、ＣＡ接続するか否かを制御する通信制御処理について示しているが、端末装置２０が基地局１０へデータを送信（アップロード）する場合にも、データの受信を送信に代えることで同様にＣＡ接続するか否かを制御することができる。
【００３７】
（ステップＳ１０１）まず、端末装置２０は、通信開始すると、受信するデータがあるか否かを判定する。受信するデータがない場合には（ステップＳ１０１：ＮＯ）、端末装置２０は、通信を終了する。一方、受信するデータがある場合には（ステップＳ１０１：ＹＥＳ）、端末装置２０は、通信を開始する際に、ＰＣｅｌｌの周波数帯域ｆ１で割り当てられたＲＢの値を基地局１０−１から取得する。例えば、端末装置２０は、割り当てられる最大ＲＢ数と、実際に割り当てられたＲＢ数（Ｘ１）の情報を取得する。そして、ステップＳ１０２の処理へ進む。
【００３８】
例えば、ＬＴＥ  Ｂａｎｄ１（２ＧＨｚ帯)でＢａｎｄ幅の割り当てが５ＭＨｚもしくは１０ＭＨｚもしくは１５ＭＨｚもしくは２０ＭＨｚだった場合、最大ＲＢ数はそれぞれ、２５、５０、７５、１００と決まっている。その最大ＲＢ数の中で、ＲＢが割り当てられ、割り当てられるＲＢ数は接続環境によって増減する。端末装置２０は、ＲＢの値に関する情報を、基地局１０から約１ｍｓｅｃ毎に受信しているので、一定期間の平均値を任意に決めることができる。
【００３９】
（ステップＳ１０２）端末装置２０は、割り当てられたＲＢ数（Ｘ１）と、端末装置２０で通信に必要なＲＢ数（Ａ）とを比較し、割り当てられたＲＢ数（Ｘ１）が通信に必要なＲＢ数（Ａ）より大きいか否かを判定する。端末装置２０は、割り当てられたＲＢ数（Ｘ１）が、通信に必要なＲＢ数（Ａ）より大きいと判定した場合（ステップＳ１０２：ＹＥＳ）、ステップＳ１０３に処理を進める。一方、端末装置２０は、割り当てられたＲＢ数（Ｘ１）が通信に必要なＲＢ数（Ａ）以下であると判定した場合（ステップＳ１０２：ＮＯ）、ステップＳ１０６に処理を進める。
【００４０】
（ステップＳ１０３）端末装置２０は、ＣＡを行う必要がないので、基地局１０−１からのＣＡ接続の要求を拒否する（図４参照）。これにより、端末装置２０は、ＰＣｅｌｌの周波数帯域ｆ１で通信を実行する。そして、ステップＳ１０４の処理に進む。
【００４１】
ＣＡ接続を行なわない通信中において、端末装置２０の動作状態によって、通信に必要なＲＢ数が刻々と変化する可能性がある。例えば、端末装置２０において、新たにデータのダウンロードまたはアップロードが開始されたり、新たにアプリケーションが起動したりすることで、さらにＲＢが必要になることがある。または、実行されているアプリケーションが終了してそのアプリケーションで使用されていたＲＢが必要でなくなることがある。
【００４２】
（ステップＳ１０４）
そこで、端末装置２０は、通信に必要なＲＢが変化したかを確認するために、１つ前の時刻の必要なＲＢ数（Ａ）と、現在の時刻の必要なＲＢ数（Ａ’）とが略一致するか否かを判定する。そして、端末装置２０は、１つ前の時刻の必要なＲＢ数（Ａ）と、現在の時刻の必要なＲＢ数（Ａ’）とが略一致すると判定した場合（ステップＳ１０４：ＹＥＳ）、ステップＳ１０１の処理に戻す。一方、端末装置２０は、１つ前の時刻の必要なＲＢ数（Ａ）と、現在の時刻の必要なＲＢ数（Ａ’）とが略一致しないと判定した場合（ステップＳ１０４：ＮＯ）、ステップＳ１０５の処理に進む。
（ステップＳ１０５）端末装置２０は、現在の時刻の必要なＲＢ（Ａ’）を（Ａ）に代入し、ステップＳ１０１の処理に戻し、ステップＳ１０１、Ｓ１０２の処理により、ＣＡ接続の要求を拒否するか否かを制御する。
【００４３】
（ステップＳ１０６）端末装置２０は、割り当てられたＲＢ数（Ｘ１）が通信に必要なＲＢ数（Ａ）以下であると判定した場合（ステップＳ１０２：ＮＯ）、ＲＢが足りていないため、基地局１０−１からのＣＡ接続の要求を許可する（図５参照）。なお、端末装置２０は、ＲＢが足りていない場合、基地局１０−１へＣＡ接続を要求してもよい。そして、ステップＳ１０７の処理に進む。
（ステップＳ１０７）端末装置２０は、ＰＣｅｌｌの周波数帯域ｆ１に加えて、ＳＣｅｌｌの周波数帯域ｆ２を用いて通信を行うＣＡ接続を開始し、受信するデータがあるか否かを判定する。受信するデータがない場合には（ステップＳ１０７：ＮＯ）、端末装置２０は、通信を終了する。一方、受信するデータがある場合には（ステップＳ１０７：ＹＥＳ）、端末装置２０は、ＰＣｅｌｌの周波数帯域ｆ１で割り当てられたＲＢの値を基地局１０−１から取得するとともに、ＳＣｅｌｌの周波数帯域ｆ２で割り当てられたＲＢの値を基地局１０−２から取得する。
【００４４】
次に、ステップＳ１０８〜Ｓ１１１において、端末装置２０は、ＣＡ接続中に、ＰＣｅｌｌの周波数帯域ｆ１とＳＣｅｌｌの周波数帯域ｆ２とのいずれかの周波数帯域のみで、端末装置２０で通信に必要なＲＢが割り当てられている場合には、ＣＡ接続を解除する。
【００４５】
（ステップＳ１０８）まず、端末装置２０は、ＰＣｅｌｌの周波数帯域ｆ１で割り当てられたＲＢ数（Ｘ１）と、端末装置２０で通信に必要なＲＢ数（Ａ）とを比較し、割り当てられたＲＢ数（Ｘ１）が通信に必要なＲＢ数（Ａ）より大きいか否かを判定する。端末装置２０は、割り当てられたＲＢ数（Ｘ１）が、通信に必要なＲＢ数（Ａ）より大きいと判定した場合（ステップＳ１０８：ＹＥＳ）、ステップＳ１０９に処理を進める。一方、端末装置２０は、割り当てられたＲＢ数（Ｘ１）が通信に必要なＲＢ数（Ａ）以下であると判定した場合（ステップＳ１０８：ＮＯ）、ステップＳ１１０に処理を進める。
【００４６】
（ステップＳ１０９）端末装置２０は、ＰＣｅｌｌの周波数帯域ｆ１で割り当てられたＲＢ数（Ｘ１）のみで十分なＲＢを確保できており、ＳＣｅｌｌの周波数帯域ｆ２で割り当てられたＲＢ数（Ｘ２）の必要がない。そのため、端末装置２０は、ＳＣｅｌｌの周波数帯域ｆ２によるＣＡ接続を解除する（図７参照）。そして、ステップＳ１０１の処理に戻る。
【００４７】
（ステップＳ１１０）端末装置２０は、ＳＣｅｌｌの周波数帯域ｆ２で割り当てられたＲＢ数（Ｘ２）と、端末装置２０で通信に必要なＲＢ数（Ａ）とを比較し、割り当てられたＲＢ数（Ｘ２）が通信に必要なＲＢ数（Ａ）より大きいか否かを判定する。端末装置２０は、割り当てられたＲＢ数（Ｘ２）が、通信に必要なＲＢ数（Ａ）より大きいと判定した場合（ステップＳ１１０：ＹＥＳ）、ステップＳ１１１に処理を進める。一方、端末装置２０は、割り当てられたＲＢ数（Ｘ２）が通信に必要なＲＢ数（Ａ）以下であると判定した場合（ステップＳ１１０：ＮＯ）、ステップＳ１１２に処理を進める。
【００４８】
（ステップＳ１１１）端末装置２０は、ＳＣｅｌｌの周波数帯域ｆ２で割り当てられたＲＢ数（Ｘ２）のみで十分なＲＢを確保できており、ＰＣｅｌｌの周波数帯域ｆ１で割り当てられたＲＢが必要ない。そのため、端末装置２０は、ＰＣｅｌｌの周波数帯域ｆ１によるＣＡ接続を解除する。このとき、周波数帯域ｆ１がＰＣｅｌｌであるため、周波数帯域ｆ１から周波数帯域ｆ２にハンドオーバーし、周波数帯域ｆ２をＰＣｅｌｌに切り換える。そして、ステップＳ１０１の処理に戻る。
【００４９】
ステップＳ１１２〜Ｓ１１５では、端末装置２０は、ＣＡ接続中において、ＰＣｅｌｌの周波数帯域ｆ１とＳＣｅｌｌの周波数帯域ｆ２とのいずれかの周波数帯域でほとんどＲＢが割り当てられていなかった場合、その周波数帯域での接続が無駄になるため、ＣＡ接続を解除する。ここで、ＣＡ接続を解除する判定基準は、割り当てられたＲＢ数（Ｘ２）またはＲＢ数（Ｘ１）が、接続しているだけ無駄になるくらいの最小ＲＢ数（Ｂ）を下回るか否かである。なお、最小ＲＢ数（Ｂ）は、任意に設定することができる。
【００５０】
（ステップＳ１１２）まず、端末装置２０は、ＳＣｅｌｌの周波数帯域ｆ２で割り当てられたＲＢ数（Ｘ２）と、最小ＲＢ数（Ｂ）とを比較し、割り当てられたＲＢ数（Ｘ２）が最小ＲＢ数（Ｂ）より小さいか否かを判定する。端末装置２０は、割り当てられたＲＢ数（Ｘ２）が、最小ＲＢ数（Ｂ）より小さいと判定した場合（ステップＳ１１２：ＹＥＳ）、ステップＳ１１３に処理を進める。一方、端末装置２０は、割り当てられたＲＢ数（Ｘ２）が最小ＲＢ数（Ｂ）以上であると判定した場合（ステップＳ１１２：ＮＯ）、ステップＳ１１４に処理を進める。
【００５１】
（ステップＳ１１３）端末装置２０は、ＳＣｅｌｌの周波数帯域ｆ２で割り当てられたＲＢ数（Ｘ２）が、接続しているだけ無駄になるくらい小さいため、ＳＣｅｌｌの周波数帯域ｆ２によるＣＡ接続を解除する（図８参照）。そして、ステップＳ１０１の処理に戻る。
【００５２】
（ステップＳ１１４）端末装置２０は、ＰＣｅｌｌの周波数帯域ｆ１で割り当てられたＲＢ数（Ｘ１）と、最小ＲＢ数（Ｂ）とを比較し、割り当てられたＲＢ数（Ｘ１）が最小ＲＢ数（Ｂ）より小さいか否かを判定する。端末装置２０は、割り当てられたＲＢ数（Ｘ１）が、最小ＲＢ数（Ｂ）より小さいと判定した場合（ステップＳ１１４：ＹＥＳ）、ステップＳ１１５に処理を進める。
（ステップＳ１１５）端末装置２０は、ＰＣｅｌｌの周波数帯域ｆ１で割り当てられたＲＢ数（Ｘ１）が、接続しているだけ無駄になるくらい小さいため、ＰＣｅｌｌの周波数帯域ｆ１によるＣＡ接続を解除する。そして、ステップＳ１０１の処理に戻る。
【００５３】
一方、端末装置２０は、ステップＳ１１４において、割り当てられたＲＢ数（Ｘ１）が最小ＲＢ数（Ｂ）以上であると判定した場合（ステップＳ１１４：ＮＯ）、ＣＡ接続を継続し、ステップＳ１０８の処理に戻す。
【００５４】
なお、できるだけＰＣｅｌｌよりもＳＣｅｌｌからＣＡ接続を解除していきたいため、端末装置２０は、まずステップＳ１１２でＳＣｅｌｌについて判定し、その後ステップＳ１１４でＰＣｅｌｌについて判定している。                     
【００５５】
以上説明してきたように、本実施形態による端末装置２０は、同時に複数の周波数帯域を用いて基地局１０と通信接続（例えば、ＣＡ接続）が可能であり、取得部２２１と、算出部２２２と、通信制御部２２３とを備えている。取得部２２１は、通信に使用する周波数帯域において通信に割り当てられた通信リソースの大きさを示す情報（ＲＢの値、ＲＢ数）を基地局１０から取得する。算出部２２２は、端末装置２０で通信に必要な通信リソースの大きさを算出する。通信制御部２２３は、取得部２２１が取得したＲＢの値と算出部２２２が算出した通信リソースの大きさとに基づいて、いくつの周波数帯域を同時に用いて通信接続を行うかを制御する。
これにより、端末装置２０は、無駄に複数の周波数帯域を同時に使用して通信を行うことを抑制し、消費電力を抑えることができる。
【００５６】
例えば、通信制御部２２３は、通信接続している全ての周波数帯域で割り当てられた通信リソース（ＲＢ）の合計が、算出部が算出した通信リソース（ＲＢ）より大きいと判定した場合、より多くの周波数帯域を同時に用いた通信接続（例えば、ＣＡ接続）の要求が基地局１０からきても拒否する。
これにより、端末装置２０は、通信接続中の周波数帯域において割り当てられた通信リソース（ＲＢ）で足りる場合には、さらに他の周波数帯域を同時に用いて通信接続を行なわないので、無駄に複数の周波数帯域を同時に使用して通信を行うことを抑制し、消費電力を抑えることができる。
【００５７】
また、通信制御部２２３は、算出部２２２が算出した通信リソース（ＲＢ）に対して、通信接続している全ての周波数帯域で割り当てられた通信リソース（ＲＢ）の合計では足りなくなったと判定した場合、より多くの周波数帯域を同時に用いた通信接続（例えば、ＣＡ接続）を行う要求を基地局に対して出力する。例えば、通信制御部２２３は、一つの周波数帯域を用いた通信接続中に、一つの周波数帯域において割り当てられた通信リソース（ＲＢ）が、端末装置２０で通信に必要な通信リソース（ＲＢ）以下になったと判定した場合、同時に複数の周波数帯域を用いた通信接続（例えば、ＣＡ接続）の要求を基地局１０に対して出力する。
これにより、端末装置２０は、通信接続中の周波数帯域において割り当てられた通信リソース（ＲＢ）で足りない場合に、さらに他の周波数帯域を同時に用いて通信接続を行うので、無駄に複数の周波数帯域を同時に使用して通信を行うことを抑制し、消費電力を抑えることができる。
【００５８】
また、通信制御部２２３は、通信接続中に必要な通信リソース（ＲＢ）が増加したことにより、割り当てられた通信リソース（ＲＢ）では足りなくなったと判定した場合、より多くの周波数帯域を用いた通信接続（例えば、ＣＡ接続）の要求を基地局１０に対して出力する。
これにより、端末装置２０は、例えば一つの周波数帯域を用いた通信を選択した場合でも、その後通信リソース（ＲＢ）が足りなくなった場合には、同時に複数の周波数帯域を用いた通信接続を行うことができる。また、端末装置２０は、同時に複数の周波数帯域を用いた通信接続（例えば、ＣＡ接続）を行っているときに、通信リソース（ＲＢ）が足りなくなった場合には、より多くの周波数帯域を同時に用いて通信接続を行うこともできる。
【００５９】
また、通信制御部２２３は、同時に複数の周波数帯域を用いた通信接続（例えば、ＣＡ接続）中に、算出部２２２が算出した通信リソース（ＲＢ）を通信接続中の一部の周波数帯域のみで割り当てられると判定した場合、当該一部の周波数帯域以外の周波数帯域を用いた通信接続を解除する要求を基地局に対して出力する。
これにより、端末装置２０は、同時に複数の周波数帯域を用いた通信接続（例えば、ＣＡ接続）中であっても、必要なければ、通信に用いる周波数帯域を減らすことができる。よって、端末装置２０は、無駄に複数の周波数帯域を同時に使用して通信を行うことを抑制し、消費電力を抑えることができる。
【００６０】
また、通信制御部２２３は、同時に複数の周波数帯域を用いた通信接続（例えば、ＣＡ接続）中に、割り当てられた通信リソース（ＲＢ）の大きさが所定値（例えば、最小ＲＢ数）未満の通信接続中の周波数帯域がある場合、当該周波数帯域を用いた通信接続を解除する要求を基地局１０に対して出力する。
これにより、端末装置２０は、効果のない周波数帯域は使用しないようにするので、無駄に複数の周波数帯域を同時に使用して通信を行うことを抑制し、消費電力を抑えることができる。
【００６１】
また、通信制御部２２３は、同時に複数の周波数帯域を用いた通信接続（例えば、ＣＡ接続）中に、割り当てられた通信リソース（ＲＢ）では足りなくなったと判定した場合、さらに他の周波数帯域を用いた通信接続を同時に行う要求を基地局１０に対して出力する。これにより、端末装置２０は、例えば、２つの周波数帯域を用いた通信接続（例えば、ＣＡ接続）では通信リソース（ＲＢ）が足りない場合には３つの周波数帯域を用いることができるとともに、さらに足りない場合には４以上の周波数帯域を用いることもできる。
【００６２】
なお、上述した実施形態における端末装置２０の一部、例えば、端末制御部２２０の機能をコンピュータで実現するようにしても良い。その場合、この機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、端末装置２０に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【００６３】
以上、図面を参照してこの発明の一実施形態について詳しく説明してきたが、具体的な構成は上述のものに限られることはなく、この発明の要旨を逸脱しない範囲内において様々な設計変更等をすることが可能である。例えば、上記実施形態では、ＬＴＥ−ＡにおけるＣＡ（キャリアアグリゲーション）を例にして説明したが、これに限られるものではなく、例えば、リンクアグリゲーション（ＬＴＥ、ＷｉＦｉ（登録商標）、３Ｇなど異なるネットワークとのアグリゲーション）や、ヘテロジーニアスネットワーク環境(様々なネットワークが混在する環境)下などでも適用可能である。
【符号の説明】
【００６４】
１  移動体通信システム、１０  基地局、２０  端末装置、１１０  通信部、１１１  送信部、１１２  受信部、１２０  制御部、２０１  表示部、２０２  操作受付部、２１０  端末通信部、２１１  送信部、２１２  受信部、２２０  端末制御部、２２１  取得部、２２２  算出部、２２３  通信制御部
【図１】
0006515420.tif 000002
【図２】
0006515420.tif 000003
【図３】
0006515420.tif 000004
【図４】
0006515420.tif 000005
【図５】
0006515420.tif 000006
【図６】
0006515420.tif 000007
【図７】
0006515420.tif 000008
【図８】
0006515420.tif 000009
【図９】
0006515420.tif 000010